(57)【要約】【課題】卓球競技用ネットの張設状態の点検において、審判員の勘に頼ることなく、規定に適合するネットの高さ張りの強さを、正確、簡便かつ同時に点検できる、卓球競技用ネット張設状態点検器を提供すること。【解決手段】股部１１から伸長する二の脚部１２、１２を有する、略逆Ｕ字状のスケール基材１と、スケール基材１に設けられた摺動ガイド部１３に摺設された、スケール基材１長手方向に摺動可能かつ任意位置にて固定可能なネット跨乗用部材５とからなり、ネット跨乗用部材５は、脚部１２の先端部を基点とした脚長Ｄを調節することができる、卓球競技用ネット張設状態点検器１０を構成する。【選択図】  図１
2004202187.tif 000002
【特許請求の範囲】
【請求項１】
股部から伸長する二の脚部を有する、略逆Ｕ字状のネット高さ点検用スケール基材（以下、単に「スケール基材」ともいう。）と、該スケール基材に設けられた摺動ガイド部に摺設された、該スケール基材長手方向（略脚部伸長方向をいう。以下も同じ。）に摺動可能かつ任意位置にて固定可能なネット跨乗用部材と、からなり、該ネット跨乗用部材は、該脚部の先端部から該股部までの高さ、または該先端部から該ネット跨乗用部材の下端までの高さのうちいずれか距離の短い方の高さ（以下、「脚長」という。）を調節することができ、係る構成により卓球競技用ネットの張設状態の点検に用いることのできる、卓球競技用ネット張設状態点検器。
【請求項２】
前記ネット跨乗用部材は、少なくとも前記調節された脚長がネットへの跨乗により変化しない程度に固定することができるものである、ことを特徴とする、請求項１に記載の卓球競技用ネット張設状態点検器。
【請求項３】
前記スケール基材には、長手方向に目盛りが設けられ、該目盛りには少なくとも、所定のネットの高さ（後記の荷重を加えない場合の高さ。以下、「ネット自然高」という。）自然高を示す目盛りと、所定の荷重を加えた際の所定のネット高範囲（以下、「負荷時ネット高範囲」という。）を示す目盛りと、が含まれることを特徴とする、請求項１または２に記載の卓球競技用ネット張設状態点検器。
【請求項４】
全体重量が、卓球競技用ネットの張設状態を点検するために用いられる所定の重量であることを特徴とする、請求項１ないし３のいずれかに記載の卓球競技用ネット張設状態点検器。
【請求項５】
前記ネット跨乗用部材は、少なくとも前記負荷時ネット高範囲を下端部が摺動可能なように設けられていることを特徴とする、請求項１ないし４のいずれかに記載の卓球競技用ネット張設状態点検器。
【請求項６】
前記摺動ガイド部は前記スケール基材にその長手方向に形成された貫通孔を有する構造であり、これに摺設される前記ネット跨乗用部材は、該貫通孔内を摺動する連結用ネジを有するネット跨乗体と、該連結用ネジにねじ込まれることによって該ネット跨乗用部材の固定を行うための締結手段と、からなることを特徴とする、請求項１ないし５のいずれかに記載の卓球競技用ネット張設状態点検器。
【発明の詳細な説明】
【０００１】
【発明の属する技術分野】
本発明は卓球競技用ネット張設状態点検器に関し、特に、卓球競技用ネットの張設状態の点検を簡便に行うことのできる、卓球競技用ネット張設状態点検器に関する。
【０００２】
【従来の技術】
国際大会か国内大会かに関わらず、正規の卓球競技会においては、卓球競技に使用する卓球台上に張設されるネットの状態に、一定の規定がある。すなわち、ネットの高さとその張りの強さであるが、これらは競技の勝敗に大きく影響する者であるため、その仕様が厳密に定められている。現在のルールでは、ネットの高さは１５．２５ｃｍ、その張りの強さは、ネット中央に１００ｇの錘を乗せることによって生じるネットの下がりが１ｃｍ以内であること、とされている。したがって競技に先だっては、ネットの張設が規定通りか否かの判定を、ネットの高さおよび張りの強さによって点検することが、ルール上必要である。
【０００３】
ネットの高さが規定通りで適正である場合は、競技においてボールがネットに触れずにネット上方を移動する場合、ボールがネットに至らないうちに卓球台上や台外に落ちた場合、またはボールがネットに完全に引っかかってしまった場合は、ネットの張りがプレイ判定上の問題になることはない。しかし、ボールがネットの上端部に触れた場合には、ネットの張りの強さが重要な問題となる。すなわち、一般にネットの張りが緩い場合は、打たれてネット上端部に触れたボールは相手コートに入りやすく、判定はセーフとなりやすい傾向がある。逆にネット張りがきつい場合は、打たれてネット上端部に触れたボールは相手コートに入りにくく、判定はアウトになりやすい。
【０００４】
競技者個々の技術的特徴、身体的特徴、癖などによって、ネットの影響はさまざまな形で現れると考えられる。したがって、ネットの張り加減如何によって競技中のプレイの判定、ひいては勝敗に影響が生じ得る。これは、競技進行の適正、競技者間における公平の確保を図る上では望ましいことではない。しかし現状は、ネット張設状態の点検を担当する主審の「勘」に頼って点検がなされている例が少なくない。
【０００５】
客観的な基準での点検を可能とする方法として、高さ（１５．２５ｃｍ）の点検には、商品用ボールケースに付記されているスケール、独立したスケールなどが使用される場合がある。一方張りの強さを点検するための器具としては、海外で使用されている簡単な逆Ｕ時形ゲージがある。これは、全体重量が規定に合わせての１００ｇであり、逆Ｕ字形の二本の脚部の長さ（いわば股下。）が規定に合わせての１４．２５ｃｍのサイズを有した器具である。これをネットの中央部に跨乗させて、下端部が卓球台（テーブル）に触れないような強度でネットを張るための基準として用いるものである（情報源：財団法人日本卓球協会）。
【０００６】
客観的な基準での点検を可能とする方法についての特許出願状況の検索調査を試みた。特許庁ホームページ上の特許電子図書館（ＩＰＤＬ）の、特許実用新案公報テキスト検索メニューを用い、下記条件にて検索した。
検索式
要約＋特許請求の範囲＝卓球  ａｎｄ  ネット  ａｎｄ（高さ  ｏｒ  張力  ｏｒテンション）ａｎｄ（ゲージ  ｏｒ  具  ｏｒ  装置  ｏｒ  器）
検索対象：特許公開、実用新案公開、特許、実用新案登録。
結果  ヒット件数  ２件
１．特開平０９−２０１４３８    卓球台
２．特表２００１−５２３４９６  訓練装置
しかしこれらいずれも、卓球競技において客観的な基準での点検を可能とする方法を取り扱ったものとは認められなかった。
【０００７】
【特許文献１】
特開平０９−２０１４３８号公報  「卓球台」。要約。図１。
【特許文献２】
特表２００１−５２３４９６号公報  「訓練装置」。要約。図１。
【０００８】
【発明が解決しようとする課題】
上述したように、卓球競技用ネットの張設状態の点検を客観的基準により行うための方法は、ネットの高さ、ネットの張りの強さそれぞれについては、従来提供されているものがある。しかし、従来の方法ではこの両者は別々に点検されており、この両者を同時に、あるいは一つの器具または方法で行うための提案は、従来なされていない。
【０００９】
本発明の課題は、かかる従来技術の欠点を解消し、卓球競技用ネットの張設状態の点検を客観的基準をもって簡便に行うことのできる、卓球競技用ネット張設状態点検器を提供することである。すなわち、審判員の勘に頼ることなく、規定に適合するネットの高さ張りの強さを、正確、簡便かつ同時に点検できる、卓球競技用ネット張設状態点検器を提供することである。
【００１０】
【課題を解決するための手段】
本願発明者は上記課題につき鋭意検討し、その解決手段に至った。すなわち、上記課題を解決するための手段として、本願で特許請求される発明は以下のとおりである。
【００１１】
（１）股部から伸長する二の脚部を有する、略逆Ｕ字状のネット高さ点検用スケール基材（以下、単に「スケール基材」ともいう。）と、該スケール基材に設けられた摺動ガイド部に摺設された、該スケール基材長手方向（略脚部伸長方向をいう。以下も同じ。）に摺動可能かつ任意位置にて固定可能なネット跨乗用部材と、からなり、該ネット跨乗用部材は、該脚部の先端部から該股部までの高さ、または該先端部から該ネット跨乗用部材の下端までの高さのうちいずれか距離の短い方の高さ（以下、「脚長」という。）を調節することができ、係る構成により卓球競技用ネットの張設状態の点検に用いることのできる、卓球競技用ネット張設状態点検器。
【００１２】
（２）前記ネット跨乗用部材は、少なくとも前記調節された脚長がネットへの跨乗により変化しない程度に固定することができるものである、ことを特徴とする、（１）の卓球競技用ネット張設状態点検器。
【００１３】
（３）前記スケール基材には、長手方向に目盛りが設けられ、該目盛りには少なくとも、所定のネットの高さ（後記の荷重を加えない場合の高さ。以下、「ネット自然高」という。）自然高を示す目盛りと、所定の荷重を加えた際の所定のネット高範囲（以下、「負荷時ネット高範囲」という。）を示す目盛りと、が含まれることを特徴とする、（１）または（２）の卓球競技用ネット張設状態点検器。
【００１４】
（４）全体重量が、卓球競技用ネットの張設状態を点検するために用いられる所定の重量であることを特徴とする、（１）ないし（３）のいずれかの卓球競技用ネット張設状態点検器。
【００１５】
（５）前記ネット跨乗用部材は、少なくとも前記負荷時ネット高範囲を下端部が摺動可能なように設けられていることを特徴とする、（１）ないし（４）のいずれかの卓球競技用ネット張設状態点検器。
【００１６】
（６）前記摺動ガイド部は前記スケール基材にその長手方向に形成された貫通孔を有する構造であり、これに摺設される前記ネット跨乗用部材は、該貫通孔内を摺動する連結用ネジを有するネット跨乗体と、該連結用ネジにねじ込まれることによって該ネット跨乗用部材の固定を行うための締結手段と、からなることを特徴とする、（１）ないし（５）のいずれかの卓球競技用ネッ
ト張設状態点検器。
【００１７】
【発明の実施の形態】
以下、本発明を図面により詳細に説明する。なお、本発明は以下の実施例に限定されるものではない。以下、図中、同一の構成要素に対しては同一の符号を付して説明する。
【００１８】
図１は、本発明に係る卓球競技用ネット張設状態点検器の構成を示す説明図である。図において本点検器１０は、股部１１から伸長する二の脚部１２、１２を有する、略逆Ｕ字状のネット高さ点検用スケール基材（以下、単に「スケール基材」ともいう。）１と、該スケール基材１に設けられた摺動ガイド部１３に摺設された、該スケール基材１長手方向に摺動可能（図中、両方向矢印Ｓ。）かつ任意位置にて固定可能なネット跨乗用部材５と、からなり、該ネット跨乗用部材５は、該脚部１２の先端部から該股部１１までの高さ、または該先端部から該ネット跨乗用部材５の下端までの高さのうちいずれか距離の短い方の高さＤ（以下、「脚長」という。）を調節することができ、係る構成により卓球競技用ネットの張設状態の点検に用いることのできるように構成されていることを、基本とする（請求項１）。
【００１９】
図において、前記ネット跨乗用部材５は前記股部１１よりも上方に位置する状態が示されており、したがってこの場合前記脚長Ｄは、前記脚部１２の先端部から該股部１１までの高さとなっている。
【００２０】
また図において、前記ネット跨乗用部材５には、前記摺動ガイド部１３に摺設されて該摺動ガイド部１３上での該ネット跨乗用部材５の摺動を可能とするためのガイド部摺設部材５１が設けられる。該ガイド部摺設部材５１は、後述するようにネジを用いて締結、固定を行うことのできる構成、ゴムやウレタン樹脂その他の弾性体を用いて該ガイド部１３の内側壁面に対する押圧により固定を行うことのできる構成などにより、適宜形成することができる。また、本発明の点検器１０を構成するための材料は、樹脂その他適宜のものを用いることができ、特に限定されない。
【００２１】
図２は、図１に示した本卓球競技用ネット張設状態点検器１０において、ネット跨乗用部材５を下方に摺動させた一状態を示す説明図である。ここでは、前記ネット跨乗用部材５は前記股部１１よりも下方に位置する状態が示されており、したがってこの場合前記脚長Ｄは、前記脚部１２の先端部から該ネット跨乗用部材５の下端までの高さとなっている。
【００２２】
【作用】
図１および２において本発明の卓球競技用ネット張設状態点検器１０は上述のように構成されているため、股部１１から伸長する二の脚部１２、１２を有するスケール基材１に設けられた摺動ガイド部１３にはネット跨乗用部材５がガイド部摺設部材５１において摺設されて、該スケール基材１長手方向に摺動可能であるとともに該スケール基材１長手方向の任意位置にて固定可能であり、かかる機能により該ネット跨乗用部材５を摺動ガイド部１３上で自由に摺動させ（図中、両方向矢印Ｓ。）適宜位置で固定することができ、これによって前記脚長Ｄが調節される。
【００２３】
すなわちたとえば、図１において前記股部１１よりも上方に前記ネット跨乗用部材５が位置する状態から、図２に示すように該ネット跨乗用部材５を前記摺動ガイド部１３上で下方に摺動させて適宜位置で固定することができ、これによって前記脚長Ｄが調節される。
【００２４】
そして、脚長Ｄの調節された本点検器１０は、脚長Ｄに係る該股部１１または該ネット跨乗用部材５の下端において卓球競技用ネットの上縁部中央に跨乗させることができる。本点検器１０のネット上への跨乗によってネットに掛かる重力によりネットの下がりが生じるが、その際に、脚長Ｄが適宜に調節された本点検器１０の前記脚部１２の先端部と、ネットの張設された卓球競技台上面との間の接触状態（脚部１２先端部と台上面が接触しているか否か。）を検査することによって、ルールで定められた所定重量の掛かったネットの下がりの状況を確認することができ、ネットの張設が規定通りか否かの判定を行うことができる。また、重量の掛からないネットの高さ（自然高。）については、本点検器１０に必要な目盛りを適宜設けることによって、点検・判定することができる。
【００２５】
上記説明に関わらず、本発明の卓球競技用ネット張設状態点検器１０は、脚長Ｄの調節をしない状態で先にネットに跨乗させ、その後に、前記脚部１２の先端部が卓球競技台上面に接触しないような位置に前記ネット跨乗用部材５を摺動させて固定し、その際の脚長Ｄを測定することによって、あるいはスケール基材１上に適宜設けられた目盛りと脚長Ｄに係る該ネット跨乗用部材５下端との位置関係を確認すること、つまり該下端が所定の目盛りよりも上に位置するか否かを確認することによって、ルールで定められた所定重量の掛かったネットの下がりの状況の確認、それによってネットの張設が規定通りか否かの判定を行うこともできる。
【００２６】
図において本点検器１０は、上述の作用を確実ならしめるために、前記ネット跨乗用部材５を、少なくとも前記調節された脚長Ｄがネットへの跨乗により変化しない程度に固定可能である構成とすることができる（請求項２）。すなわち、該ネット跨乗用部材５はそのガイド部摺設部材５１によって前記摺動ガイド部１３上で摺動自在であり、かつ任意位置での固定も自在であるが、その固定は、本点検器１０が該部材５の下端においてネットに跨乗する場合であっても充分に自重を支え、ネットに跨乗させた後の自重による摺動を引き起こさないような固定が、本点検器１０においてなされる。
【００２７】
かかる固定は、たとえば、後述するねじを利用した締結によってなされる。その他たとえば、該ネット跨乗用部材５のガイド部摺設部材５１か、または該摺動ガイド部１３の少なくとも一方を、適宜の弾力を有するゴム、ウレタン樹脂、あるいはその他適宜の弾性体により構成し、これらの間の摺動は自在だが少なくとも一方の側の接触面から他方の側の接触面に対して押圧がなされることによって、上記調節された脚長Ｄが、本ネット張設状態点検器１０のネット上への跨乗によっても変化を来さない程度の固定手段とすることもできる。
【００２８】
かかる構成により本点検器１０は、ネットへの跨乗の際、調節された脚長Ｄが変化しない程度の固定がなされ、上述したルールで定められた所定重量の掛かったネットの下がりの状況の確認、およびそれによるネットの張設が規定通りか否かの判定を行うことができる。
【００２９】
図３は、本発明に係る卓球競技用ネット張設状態点検器の別の構成を示す説明図である。図において本点検器１０Ｍは、図１を用いて説明した上記構成に加えて、前記スケール基材１に、長手方向に目盛りが設けられる構成をとり、該目盛りとしては少なくとも、卓球競技規定に基づく所定のネット自然高を示す目盛り１６Ａと、所定の荷重を加えた際の所定のネット高範囲である負荷時ネット高範囲を示す目盛り１６Ｂと、が含まれる構成とすることができる（請求項３）。目盛り１６Ｂが示すのは、該負荷時ネット高範囲の下限であり、一方上限は該目盛り１６Ａにより示される。かかる構成により本点検器１０Ｍでは、該目盛り１６Ａを用いることによってネット自然高を容易に点検・判定することができるとともに、該目盛り１６Ｂを用いることによってルールで定められた所定重量の掛かったネットの下がりの状況を容易に確認することができ、ネットの張設が規定通りか否かの判定を容易に行うことができる。
【００３０】
また本点検器はさらに、前記ネットの下がり状況判定の便宜のために、その全体重量が、卓球競技用ネットの張設状態を点検するために用いられる所定の重量となるように形成する構成とすることができる（請求項４）。また、同様の目的で本点検器は、前記ネット跨乗用部材５が、少なくとも負荷時ネット高範囲内を下端部が摺動可能なように構成することができる（請求項５）。
【００３１】
既に述べたように現在の正規の卓球競技の規定では、ネットの高さは１５．２５ｃｍ、その張りの強さは、ネット中央に１００ｇの錘を乗せることによって生じるネットの下がりが１ｃｍ以内であること、とされている。したがって上述の各目盛りおよび重量は、該規定に則して決定することができるが、本発明は現在の規定に限定されず、将来的なルールの変更・追加などにも対応して、適宜の構成をとることができるのは、いうまでもない。また、目盛りとしてはこれらに限定されず、たとえばラケットの厚さを確認するための目盛りなど、ネット張設状態点検以外の点検に利用できる適宜の寸法の目盛りを設けることもできる。
【００３２】
図４は、本発明に係る、連結用ねじ付きのネット跨乗体を備えた卓球競技用ネット張設状態点検器の構成を示す斜視図である。図において本点検器２０は、前記摺動ガイド部２３は前記スケール基材２１にその長手方向に形成された貫通孔２５を有する構造であり、これに摺設される前記ネット跨乗用部材５０は、該貫通孔２５内を摺動する連結用ネジ５４を有するネット跨乗体５６と、該連結用ネジ５４にねじ込まれることによって該ネット跨乗用部材５０の固定を行うための締結手段５８と、からなることを主たる構成とする（請求項６）。貫通孔２５の形状は、たとえば略長方形など、該ネット跨乗用部材５０の摺動に適したものであれば特に限定されない。かかる構成により、上述したネット跨乗用部材の固定を確実にして、本発明の目的であるネット張設状態の点検を容易ならしめることができる。
【００３３】
【実施例】
以下、本発明の実施例を述べるが、本発明がこれに限定されないことはいうまでもない。
＜実施例１＞
図５は、本発明の卓球競技用ネット張設状態点検器３０の実施例の構成を示す斜視図である。図のように本例は、図３に示した本点検器３０の構成を備えるとともに、現在の卓球競技規定に則した各種の目盛りを備える。点検器全体重量が１００ｇとなるように製作され、各目盛りは、下記の各事項の点検・確認を目的として設けられる。
（ａ）１７．２５ｃｍの目盛り  直径４４ｍｍのボール（いわゆるラージボール。）を用いた卓球競技用のネットの高さ。なおラージボールを用いた競技では、上述した荷重を掛けてのネットの張設状態点検方法は規定されていない。
（ｂ）１５．２５ｃｍの目盛り  通常正規の卓球競技（ボールは、直径４０ｍｍのものを使用。）におけるネットの高さ。
（ｃ）１４．２５ｃｍの目盛り  通常正規の卓球競技における、ネット張設状態点検において、許容されるネットの最大下がり時におけるネットの高さ。
（ｄ）４．２ｃｍの目盛り  盲人対象の卓球競技におけるネットの高さ。
（ｅ）４ｍｍの目盛り  卓球競技用ラケットに貼られたラバーの厚さであって、スポンジ層を含む２層構成のラバー（いわゆるサンドイッチラバー。）におけるラバー厚さ。
（ｆ）２ｍｍの目盛り  卓球競技用ラケットに貼られたラバーの厚さであって、１層構成のラバー（いわゆる一枚ラバー。）におけるラバー厚さ。
【００３４】
本例の卓球競技用ネット張設状態点検器３０は上述のように構成されるため、この１台のみによって、通常の正規の卓球競技におけるネット張設状態（ネットの張りと高さ。）を容易に点検できるだけではなく、ラケットのラバー厚さの点検、さらにはラージボール使用の競技用や、盲人対象の競技用におけるネット高さの点検にも用いることができる。
【００３５】
【発明の効果】
本発明の卓球競技用ネット張設状態点検器は上述のように構成されているため、卓球競技用ネットの張設状態の点検を客観的基準をもって簡便に行うことができる。すなわち、審判員の勘に頼ることなく、規定に適合するネットの高さおよび張りの強さを、正確、簡便かつ同時に点検することができる。
【図面の簡単な説明】
【図１】本発明に係る卓球競技用ネット張設状態点検器の構成を示す説明図である。
【図２】図１の卓球競技用ネット張設状態点検器において、ネット跨乗用部材を下方に摺動させた状態を示す説明図である。
【図３】本発明に係る卓球競技用ネット張設状態点検器の別の構成を示す説明図である。
【図４】本発明に係る、連結用ねじ付きのネット跨乗体を備えた卓球競技用ネット張設状態点検器の構成を示す斜視図である。
【図５】本発明の卓球競技用ネット張設状態点検器の実施例の構成を示す斜視図である。
【符号の説明】
１０、１０Ｍ、２０、３０…卓球競技用ネット張設状態点検器、  １、２１…ネット高さ点検用スケール基材（スケール基材）、  １１…股部、  １２…脚部、１３…摺動ガイド部、  １６Ａ…所定のネット自然高を示す目盛り、  １６Ｂ…所定の荷重を加えた際の所定のネット高範囲（負荷時ネット高範囲）を示す目盛り、  ２５…貫通孔、  ５、５０…ネット跨乗用部材、  ５１…ガイド部摺設部材、  ５４…連結用ネジ、  ５６…ネット跨乗体、  ５８…締結手段、  Ｓ…ネット跨乗用部材の摺動方向
【図１】
2004202187.tif 000003
【図２】
2004202187.tif 000004
【図３】
2004202187.tif 000005
【図４】
2004202187.tif 000006
【図５】
2004202187.tif 000007
【手続補正書】
【提出日】平成15年7月10日(2003.7.10)
【手続補正１】
【補正対象書類名】明細書
【補正対象項目名】特許請求の範囲
【補正方法】変更
【補正の内容】
【特許請求の範囲】
【請求項１】
股部から伸長する二の脚部を有する、略逆Ｕ字状のネット高さ点検用スケール基材（以下、単に「スケール基材」ともいう。）と、該スケール基材に設けられた摺動ガイド部に摺設された、該スケール基材長手方向（略脚部伸長方向をいう。以下も同じ。）に摺動可能かつ任意位置にて固定可能なネット跨乗用部材と、からなり、該ネット跨乗用部材は、該脚部の先端部から該股部までの範囲内において該脚部の先端部から該ネット跨乗用部材の下端までの高さを調節することができ、かかる構成により、卓球競技用ネットの張設状態の点検に用いることのできる、卓球競技用ネット張設状態点検器。
【請求項２】
前記ネット跨乗用部材は、少なくとも前記調節された高さ（前記脚部の先端部から該股部までの範囲内における、前記脚部の先端部から該ネット跨乗用部材の下端までの高さ。）がネットへの跨乗により変化しない程度に固定することができるものである、ことを特徴とする、請求項１に記載の卓球競技用ネット張設状態点検器。
【請求項３】
前記スケール基材には、長手方向に目盛りが設けられ、該目盛りには少なくとも、所定のネットの自然高（後記の荷重を加えない場合の高さ。以下、「ネット自然高」という。）を示す目盛りと、所定の荷重を加えた際の所定のネット高範囲（以下、「負荷時ネット高範囲」という。）を示す目盛りと、が含まれることを特徴とする、請求項１または２に記載の卓球競技用ネット張設状態点検器。
【請求項４】
全体重量が、卓球競技用ネットの張設状態を点検するために用いられる所定の重量であることを特徴とする、請求項１ないし３のいずれかに記載の卓球競技用ネット張設状態点検器。
【請求項５】
前記ネット跨乗用部材は、少なくとも前記負荷時ネット高範囲を下端部が摺動可能なように設けられていることを特徴とする、請求項１ないし４のいずれかに記載の卓球競技用ネット張設状態点検器。
【請求項６】
前記摺動ガイド部は前記スケール基材にその長手方向に形成された貫通孔を有する構造であり、これに摺設される前記ネット跨乗用部材は、該貫通孔内を摺動する連結用ネジを有するネット跨乗体と、該連結用ネジにねじ込まれることによって該ネット跨乗用部材の固定を行うための締結手段と、からなることを特徴とする、請求項１ないし５のいずれかに記載の卓球競技用ネット張設状態点検器。
【手続補正２】
【補正対象書類名】明細書
【補正対象項目名】００１１
【補正方法】変更
【補正の内容】
【００１１】
（１）股部から伸長する二の脚部を有する、略逆Ｕ字状のネット高さ点検用スケール基材（以下、単に「スケール基材」ともいう。）と、該スケール基材に設けられた摺動ガイド部に摺設された、該スケール基材長手方向（略脚部伸長方向をいう。以下も同じ。）に摺動可能かつ任意位置にて固定可能なネット跨乗用部材と、からなり、該ネット跨乗用部材は、該脚部の先端部から該股部までの範囲内において該脚部の先端部から該ネット跨乗用部材の下端までの高さを調節することができ、かかる構成により、脚長（該脚部の先端部から該股部までの高さ、または該先端部から該ネット跨乗用部材の下端までの高さのうちいずれか距離の短い方の高さをいう。）を変化させることができ、卓球競技用ネットの張設状態の点検に用いることのできる、卓球競技用ネット張設状態点検器。


【手続補正３】
【補正対象書類名】明細書
【補正対象項目名】００１２
【補正方法】変更
【補正の内容】
【００１２】
（２）前記ネット跨乗用部材は、少なくとも前記調節された高さ（前記脚部の先端部から該股部までの範囲内における、前記脚部の先端部から該ネット跨乗用部材の下端までの高さ。）がネットへの跨乗により変化しない程度に固定することができるものである、ことを特徴とする、（１）の卓球競技用ネット張設状態点検器。


【手続補正４】
【補正対象書類名】明細書
【補正対象項目名】００１３
【補正方法】変更
【補正の内容】
【００１３】
（３）前記スケール基材には、長手方向に目盛りが設けられ、該目盛りには少なくとも、所定のネットの自然高（後記の荷重を加えない場合の高さ。以下、「ネット自然高」という。）を示す目盛りと、所定の荷重を加えた際の所定のネット高範囲（以下、「負荷時ネット高範囲」という。）を示す目盛りと、が含まれることを特徴とする、（１）または（２）の卓球競技用ネット張設状態点検器。


【手続補正５】
【補正対象書類名】明細書
【補正対象項目名】００１８
【補正方法】変更
【補正の内容】
【００１８】
図１は、本発明に係る卓球競技用ネット張設状態点検器の構成を示す説明図である。図において本点検器１０は、股部１１から伸長する二の脚部１２、１２を有する、略逆Ｕ字状のネット高さ点検用スケール基材（以下、単に「スケール基材」ともいう。）１と、該スケール基材１に設けられた摺動ガイド部１３に摺設された、該スケール基材１長手方向に摺動可能（図中、両方向矢印Ｓ。）かつ任意位置にて固定可能なネット跨乗用部材５と、からなり、該ネット跨乗用部材５は、該脚部１２の先端部から該股部１１までの範囲内において該脚部１２の先端部から該ネット跨乗用部材５の下端までの高さを調節することができ、かかる構成により、脚長Ｄ（該脚部１２の先端部から該股部１１までの高さ、または該先端部から該ネット跨乗用部材５の下端までの高さのうちいずれか距離の短い方の高さ。）を変化させることができ、卓球競技用ネットの張設状態の点検に用いることのできるように構成されていることを、基本とする（請求項１）。


【手続補正６】
【補正対象書類名】明細書
【補正対象項目名】００２２
【補正方法】変更
【補正の内容】
【００２２】
【作用】
図１および２において本発明の卓球競技用ネット張設状態点検器１０は上述のように構成されているため、股部１１から伸長する二の脚部１２、１２を有するスケール基材１に設けられた摺動ガイド部１３にはネット跨乗用部材５がガイド部摺設部材５１において摺設されて、該スケール基材１長手方向に摺動可能であるとともに該スケール基材１長手方向の任意位置にて固定可能であり、かかる機能により該ネット跨乗用部材５を摺動ガイド部１３上で自由に摺動させ（図中、両方向矢印Ｓ。）適宜位置で固定することができ、これによって前記脚長Ｄが変化させられ、調節される。


【手続補正７】
【補正対象書類名】明細書
【補正対象項目名】００２６
【補正方法】変更
【補正の内容】
【００２６】
図において本点検器１０は、上述の作用を確実ならしめるために、前記ネット跨乗用部材５を、少なくとも前記調節された高さ（前記脚部の先端部から該股部までの範囲内における、前記脚部の先端部から該ネット跨乗用部材の下端までの高さ。）がネットへの跨乗により変化しない程度に固定可能である構成とすることができる（請求項２）。すなわち、該ネット跨乗用部材５はそのガイド部摺設部材５１によって前記摺動ガイド部１３上で摺動自在であり、かつ任意位置での固定も自在であるが、その固定は、本点検器１０が該部材５の下端においてネットに跨乗する場合であっても充分に自重を支え、ネットに跨乗させた後の自重による摺動を引き起こさないような固定が、本点検器１０においてなされる。


【手続補正８】
【補正対象書類名】明細書
【補正対象項目名】００２８
【補正方法】変更
【補正の内容】
【００２８】
かかる構成により本点検器１０は、ネットへの跨乗の際、該ネット誇乗部材５が該股部１１よりも下方位置にある場合であっても、調節された脚長Ｄが変化しない程度の固定がなされ、上述したルールで定められた所定重量の掛かったネットの下がりの状況の確認、およびそれによるネットの張設が規定通りか否かの判定を行うことができる。